(57)【要約】非線形の湾曲キーボード、基部、及び任意選択的にトラックボールといったポインティング装置を含むキーボード組立体。キーボードは、上部の非線形面を有する細長い基部と、その上面に取り付けられた複数のキーを含む。複数のキーは、幾つかの群に分けられ、キー間の幾何学関係は、親指の最大使用を可能にし、指、手首、前腕、及び肩が自然な位置にあるよう選択される。易経に書かれたまた河図において具現化された自然の非対称理論によって支持される非対称要素が、幾何学配置に導入されうる。もともとのキーボードの既存の幾何学を維持しながらキーのより人間工学的な調整を可能にする非対称群の作成を詳述する。上面と細長い基部間の空間にトラックボールを追加してもよい。
2007500905.tif 000002
【特許請求の範囲】
【請求項１】
標準キーボードに記号表示において対応するキーを含む非線形キーボードを含む非対称の人間工学的キーボード組立体であって、
前記キーボードは、
長手軸を有する基部と、
前記軸の上方に配置される上面と、
前記上面上に位置付けられる複数のキー列と、
を含み、
前記上面は、前記長手軸の上方に凸状湾曲部を形成し、
前記上面は、第１の非対称部分及び第２の非対称部分を有し、
前記長手軸上の中心点から前記第１の非対称部分上の点までの第１の半径距離は、前記長手軸上の前記中心点から前記第２の非対称部分上の点までの第２の半径距離より大きく、
前記複数のキー列は、前記長手軸の両側に配置された第１のキー群及び第２のキー群を含み、
前記キーは、前記上面の中心に向かって高く前記基部に向かって低いキーボード組立体。
【請求項２】
前記凸状湾曲部面は、実質的に半球状である請求項１記載のキーボード組立体。
【請求項３】
前記凸状湾曲部は、前記長手軸について非対称に湾曲する請求項１記載のキーボード組立体。
【請求項４】
前記第１のキー群及び前記第２のキー群は、隣接する列でアルファベットキーを含む請求項１記載のキーボード組立体。
【請求項５】
前記第１のキー群及び前記第２キー群は、前記基部上の横軸に沿って対称ではない請求項４記載のキーボード組立体。
【請求項６】
トラッキング装置が前記基部に設置される請求項１記載のキーボード組立体。
【請求項７】
前記トラッキング装置は、トラックボールを含む請求項６記載のキーボード組立体。
【請求項８】
前記複数のキー列は、数字キー及びファンクションキーを含む請求項１記載のキーボード組立体。
【請求項９】
前記数字キー及び前記ファンクションキーは、前記第１のキー群と前記第２のキー群との間に位置付けられる請求項８記載のキーボード組立体。
【請求項１０】
標準キーボードに記号表示において対応するキーを含む非線形キーボードを含む非対称の人間工学的キーボード組立体であって、
前記キーボードは、
長手軸を有する基部と、
前記軸の上方に配置される上面と、
前記上面上に位置付けられる複数のキー列と、
を含み、
前記上面は、前記長手軸の上方に凸状湾曲部を形成し、
前記凸状湾曲部は、実質的に半球状であり、
前記複数のキー列は、前記長手軸の両側に配置され且つユーザから等距離ではない第１のキー群及び第２のキー群を含み、
前記キーは、前記上面の中心に向かって高く前記基部に向かって低いキーボード組立体。
【請求項１１】
前記第１のキー群及び前記第２のキー群は、隣接する列でアルファベットキーを含む請求項１０記載のキーボード組立体。
【請求項１２】
前記第１のキー群及び前記第２のキー群は、非対称である請求項１１記載のキーボード組立体。
【請求項１３】
トラッキング装置が前記基部に設置される請求項１０記載のキーボード組立体。
【請求項１４】
前記トラッキング装置は、トラックボールを含む請求項１３記載のキーボード組立体。
【請求項１５】
前記トラッキング装置は、ワイヤレス装置を含む請求項１３記載のキーボード組立体。
【請求項１６】
前記複数のキー列は、数字キー及びファンクションキーを含む請求項１０記載のキーボード組立体。
【請求項１７】
前記数字キー及び前記ファンクションキーは、前記第１のキー群と前記第２のキー群との間に位置付けられる請求項１６記載のキーボード組立体。
【請求項１８】
電気信号を、処理能力を有する装置に入力するキーボード組立体のための方法であって、
前記キーボード組立体の基部を形成する段階と、
少なくとも２つの部分からなり、前記基部の上部を囲む非線形面を前記基部の該上部に配置する段階と、
前記非線形面上に複数のタイピングキーを取り付ける段階と、
を含み、
前記複数のタイピングキーのうちアルファベットキーは、前記非線形面の前記少なくとも２つの部分の間で大まかに分割され、
前記アルファベットキーは、非対称に位置付けられる方法。
【請求項１９】
前記少なくとも２つの部分は、非対称部分である請求項１８記載の方法。
【請求項２０】
前記キーボード組立体は更に、トラックボール装置を含む請求項１８記載の方法。
【発明の詳細な説明】
【発明の詳細な説明】
【０００１】
背景
［発明の分野］
本発明は、コンピュータ、タイプライタ等の電子装置と共に使用するための人間工学的キーボード組立体に係り、特に、本発明は、曲線状の非線形のキーボードに係り、そのキーボード上にキーは、ユーザが自分の手をリラックスした位置に維持することが可能であるようアーチ形に取り付けられる。
［関連技術の説明］
コンピュータの使用が職場においてより不可欠またより長時間に及ぶようになってくるに従って、手足の反復運動損傷（「ＲＳＩ」）は、コンピュータキーボード及びマウスの使用に由来しうるようになってくる。タイピングに関連付けられる反復性の小運動動作は、腱、神経、筋肉、及び他の軟らかい身体組織に損傷を与えうる。ＲＳＩの深刻な被害者は、最悪なシナリオでは、運転や着替えといった単純な日常の作業を行う能力を失ってしまいうる。幸運なことに、ＲＳＩは、治すことよりも人間工学的に設計されたキーボードを使用することによって予防することの方が遙かに簡単である。
【０００２】
精肉業者及びミュージシャンといった他の分野における労働者もＲＳＩに苦しむことは事実ではあるが、標準タイピングキーボードの頻繁ユーザが、平らなキーボード上に指によって行われる動作によって最も一般的な被害者である。手根管症候群は、そのような損傷の１つであり、他の種類の損傷には、腱炎（ｔｅｎｄｉｎｉｔｉｓ）、滑液包炎、腱滑膜炎、腱炎（ｔｅｎｄｉｎｏｓｉｓ）、ドケルバン（ＤｅＱｕｅｒｖａｉｎ）症候群、胸郭出口症候群、肘部管症候群が含まれる。
【０００３】
従来のキーボードは、タイピストが、指、手、手首、及び腕を不自然な位置に維持することを要求する。一般的に市販されるキーボードの横方向に伸びた形状によって、タイピストの手首は、通常、タイピングしている間に曲がっているか、又は、指が特定のキーに届くよう伸びる際に指と前腕との間のピボット点として作用する。繰り返しタイピング動作を行った後、一部のタイピストはまず指のチクチク感としびれ感に気が付く。この状態が無視され直されないと、そのような症状は、うずくような痛みと手及び前腕における衰弱感を含む慢性的問題に進行しうる。
【０００４】
理学療法士及び人間工学専門家といった当該分野における人々は全員、タイピストの手が自分の前腕と一直線となることが重要であることを主張している。手の自然な位置は、タイピストの手首が曲がらないよう前腕と位置合わせされる位置である。手根管症候群は、例えば、腕の中を手まで伸びる正中神経に影響を与え、また、この正中神経が人間の手首の関節を通る場所を損傷する。従来のキーボード上でのタイピングに要求される手及び手首の盛り上がった位置は、特に損傷を与える。従来のキーボード上の多くのキーに届く為に、タイピストは、手をキーボードの平らで横に伸びた面と平行に維持しなければならず、それにより、手首は曲げられるか又は後ろ向きに且つ上向きにされ、前腕、手首、及び手に筋肉損傷をもたらす。更に、横に伸びたキーボード上の多くのキーに届くために、指は、前腕と半径方向に位置合わせされておらず、尺骨偏位の角度を形成してしまう。
【０００５】
幸運なことに、キーボードの平らな設計は、設計検討事項よりは歴史的な理由から動機付けを得ている。最も一般的に知られている標準タイプライタキーボードの初期モデルは、１００年以上も前に確立された。水平方向に対して２０及び４０度の均一な傾斜を形成するキー及び斜めキー列を有するこの初期モデルにおけるキーボードの形状は、当時の機械的な制限によって決定された。コンピュータといった他の機械のキーボードはタイピストの学習努力を最小限にするようタイプライタ形状に従った。近代のコンピュータキーボードの多くは完全に平らであるが、斜めキー列は維持する。近代電子機器は、キーを印刷機構から分けた。歴史的な横に伸びる形状から離れたキーボードの設計を阻止していたのは、実質的な懸案事項ではなくむしろ古い習慣である。
【０００６】
タイピングしている際にユーザにより自然な手首及び手の位置を可能にするためにキーボードを再設計する技術において多くの例がある。このような設計は、過去の米国特許又は幾つかの市販される人間工学的キーボードにおいて見られる。これらのうち多くは、高さ方向に又は水平方向に調整可能なキーボードを提供する。一部は、尺骨偏位を誘発させる手の位置を防止するスプリットキーボードである。多くの改良設計は、タイピストの手が前腕とより直接的に一列となるようにする共通の目的を有すると言えるであろう。しかし、これらの公知の再設計はいずれも、指、手首、及び前腕の完全に自然な位置合わせは十分に可能にしない。
【０００７】
従って、タイピストに関連付けられるＲＳＩを防止するために人間工学性質の改良型キーボードが必要である。
［概要］
本発明の利点は、以下のうち１つ以上を含む。
【０００８】
本発明は、手首、腕、及び肩における緊張を低減する使いやすい人間工学的キーボードを提供する。タイピングに使用される様々な身体部を自然に位置合わせすることを可能にすることによって、本発明は、タイピストが、キーボードの使用、特に長時間に及ぶ使用からの長期間の問題を発生させる可能性を低減する。
【０００９】
この機構のもう１つの利点は、キーはキーボード面上に非対称に設置され、これは、ユーザが、両手を開いた位置にした太極拳の実践者の立ち姿勢に似たリラックスした位置に維持することを可能にすることであり、これも、ユーザの手首、手、及び指が繰り返される緊張による損傷によって苦しむ可能性を低減する。
【００１０】
一般的に、１つの面において、本発明は、非対称的な人間工学的キーボード組立体を提供する。これは、長手軸を有する基部と、軸の上方に配置される上面と、上面上に位置付けられる複数のキー列を含み、上面は、長手軸の上方に凸状湾曲部を形成し、上面は、第１の非対称部分及び第２の非対称部分を有し、長手軸上の中心点から第１の非対称部分上の点までの第１の半径距離は、長手軸上の中心点から第２の非対称部分上の点までの第２の半径距離より大きく、複数のキー列は、長手軸の両側に配置された第１のキー群及び第２のキー群を含み、キーは、上面の中心に向かって高く基部に向かって低い。
【００１１】
本発明の実施には、以下を含みうる。キーボードの凸状湾曲部面は、実質的に半球状でありうる。凸状湾曲部は、長手軸について非対称に湾曲しうる。第１のキー群及び第２のキー群は、隣接する列でアルファベットキーを含みうる。第１のキー群及び第２キー群は、基部上の横軸に沿って対称ではない。キーボード組立体は、基部に設置されるトラッキング装置を含みうる。そのトラッキング装置は、トラックボールでありうる。複数のキー列は、数字キー及びファンクションキーを含みうる。数字キー及びファンクションキーは、第１のキー群と第２のキー群との間に位置付けられうる。
【００１２】
別の面では、本発明は、非対称的な人間工学的キーボード組立体を提供する。これは、長手軸を有する基部と、軸の上方に配置される上面と、上面上に位置付けられる複数のキー列を含み、上面は、長手軸の上方に凸状湾曲部を形成し、凸状湾曲部は、実質的に半球状であり、複数のキー列は、長手軸の両側に配置され且つユーザから等距離ではない第１のキー群及び第２のキー群を含み、キーは、上面の中心に向かって高く基部に向かって低い。
【００１３】
本発明の実施には、以下を含みうる。第１のキー群及び第２のキー群は、隣接する列でアルファベットキーを含みうる。第１のキー群及び第２のキー群は、非対称でありうる。トラッキング装置が基部に設置されうる。トラッキング装置は、トラックボールでありうる。又は、トラッキング装置は、ワイヤレス装置でありうる。複数のキー列は、数字キー及びファンクションキーを含みうる。数字キー及びファンクションキーは、第１のキー群と第２のキー群との間に位置付けられうる。
【００１４】
別の面では、本発明は、電気信号を、処理能力を有する装置に入力するキーボード組立体のための方法に関する。この方法は、以下のうち１つ以上を含む。キーボード組立体の基部を形成する段階と、少なくとも２つの部分からなり、基部の上部を囲む非線形面を基部の該上部に配置する段階と、非線形面上に複数のタイピングキーを取り付ける段階を含み、複数のタイピングキーのうちアルファベットキーは、非線形面の少なくとも２つの部分の間で大まかに分割され、アルファベットキーは、非対称に位置付けられる。
【００１５】
本発明の方法の実施は、非対称部分である少なくとも２つの部分を含みうる。キーボード組立体は更に、トラックボール装置を含みうる。
［詳細な説明］
様々な図面における同様の参照番号及び記号表示は、同様の構成要素を示す。
【００１６】
様々な種類のキーボードがあり、また、キーボードの規格もその使用に応じて異なる。本発明は、従来のタイプライタ又はコンピュータキーボードを参照して説明するが、本発明の原理は、他の使用のためのキーボードにも適用可能であることを理解する。従来のタイプライタ／コンピュータキーボードは、通常、平らで矩形である。複数のキー列が、基本的に水平方向の基部に延在する表面に取り付けられ、各列のキーは、隣接する列のキーに対してずらされる。最も少なくて３列の、しかし、通常は５列の平行な水平列と、垂直キーオフセットは共に、斜め垂直キー縦列を形成するか又は略形成する。キーのアルファベット部における文字の多くは、なじみのある「ＱＷＥＲＴＹ」パターンに従い、各列の両端及び／又は長いスペースバーの端に一部の変換又はファンクションキーがある。
【００１７】
コンピュータのキーボードの場合、キーボードは、コンピュータと電子通信し、キーボード上のキーは、入力装置として使用される。本発明のキーボードは、キーを、指が自然に位置する又は容易に到達可能である位置に配置することによって損傷を誘発する緊張を取り除くようキーボードの形状を有意に改良する。更に、キー位置は、手、手首、及び前腕の直線の位置合わせを可能にし、また、上腕を、肩の余剰の回転負荷から守るような位置に置くことを可能にする。キーは更に、最も損傷を受ける可能性が少ない親指が、多くの非文字キーを打つ為に使用可能であるよう位置付けられる。
【００１８】
図１を参照するに、この新規のキーボード組立体は、ユーザが、腕を実質的に直線に維持しながら腕をキーボードに向けて伸ばすことを可能にする曲線状のキーボードを提供する。キーボードは、木又はプラスチックといった好適な強度を有する任意の好適な材料でありうる上部非線形面１０５を含む。この面は、球状又は半球状、又は他の形状であることが可能である。この面は、水平基部面の上方のキーの高さが中心キーに向かって増加する点で、本発明を具現化するキーボードが非平面であるような形にされる。各列において、ユーザからのキーの距離が中心キーに向かって減少する点で、非矩形である。
【００１９】
面１０５上に幾つかのキー群が配置される。３列のアルファベットキー１００は、一般的に、ユーザの右手によって扱われ、３列のアルファベットキー１１０は、一般的に、ユーザの左手によって扱われる。キー１００及び１１０は、面１０５の中心における長手軸の両側上に置かれる。この配置は、指及び前腕が半径方向に整列しているよう手首からの指の尺骨偏位が最小にする。１つの実施例におけるスペースバー１４０は、面１０５の中心の付近に配置される。面１０５の中心に沿って幾つかの他のキー群がある。１つの実施例では、５列の数字及び句読点キー１２０が、ユーザから最も離れて位置付けられる中心にまとめられる。３列の位置矢印キー１３０は、ユーザに向かってキー１２０の隣に位置付けられる。スペースバー１４０が次にあり、４列のファンクションキー１５０がユーザの近くに配置される。これらの中心キーは、親指で操作するのが容易であり、損傷の可能性を更に少なくする。これらの変更及びファンクションキーは、様々な方法で設置可能であり、この特定の配置は、説明目的に過ぎないことを理解するものとする。
【００２０】
図２を参照するに、キーボード組立体の背面図を示す。面１０５は、基部２００上に着座する外部シェル２０５の上面である。図３及び図４はキーボード組立体の側面図を示す。
【００２１】
この新規のキーボード設計は、幾つかの方法で緊張を低減する。ユーザの手を、サムアップ位置に向けて回転させることを可能にすることにより、下腕の骨は共に又は互いに対してねじれておらず、従って、手首と肘にかかる緊張を低減する。上述したようにキーボードを形作ることによって、手首は、下腕の直線軸から離れるようねじられなくなる。むしろ、その直線軸に沿って方向付けられる。上述したようにキーの配置を構成することによって、指は、様々に異なるストローク長を有さなくなり、従って、一様でないキーストローク長の為の手動による埋め合わせ及びその結果による指の関節の疲れを低減する。
【００２２】
左手キーと右手キーとを離して間隔をあけることの利点に関する正式な調査もある。図２は、キー１００及び１１０は、従来のタイピングキーボードにおけるように同一平面上ではなく、また、連続的ではないことを明らかに示す。手首半径方向／尺骨偏位及びタイピング効率に関して、スプリットキーボードの半分間の分離距離の効果を調べるためにスプリットキーボードのコンテキストにおいて研究が行われた。従来の構成からの平均尺骨偏位は、左手首に対して１８．９度であり、右手首に対して１４．２度であった。スプリットキーボードの平均尺骨偏位は、左手首に対して７．０乃至８．４度であり、右手首に対して２．７乃至５度であった。尺骨偏位は、左手キーと右手キーの分離によって主に減少されたことが分かり、この効果は、キー１００及びキー１１０も達成し且つ尺骨偏位における同様の減少を生成すべきである。
【００２３】
理論的には、１０度以下の尺骨偏位は、手根管症候群の可能性を低減しうる。何故なら、１０度より大きい角度で尺骨偏位される場合より手根管における圧力が少ないからである。更に、手首が１０度以上偏位すると、手根管における圧力は８ｍｍＨｇから２０ｍｍＨｇ以上に増加することが分かった。２０ｍｍＨｇの圧力という低い圧力でさえも、手根管では手根管症候群を急に引き起こしうるレベルに中正神経を圧迫してしまいうる。何故なら、２０ｍｍＨｇは、神経中の軸索輸送を低減することが示されているからである。手根管圧力の低減に加えて、離れて配置されたキー１００及び１１０は、手首が前腕と位置合わせされることを可能にし、それにより、中立の手首の姿勢を促進する。
【００２４】
このキーボード組立体設計のもう１つの利点は、自然な手の位置である。従来の横方向に延在するキーボードは、手を不快な「内転させた」位置となるようねじるために静的な筋肉の緊張を要求する。この内転位置では、人差し指が小指と同じ高さにある。面１０５の中心からキーが離れるに従って基部２００から測定されるキーの高さが減少する、このキーボードの面１０５の非線形形状は全て、手が回内となる必要を低くするために寄与する。更に、従来のキーボードは、カーソル制御又は数字キーパッドに届く際に最大で４０度の手首動作（左右）を必要とする。手首動作は、特に毛根管において、軟組織、腱、中正神経、及び血管の圧縮及び減圧を必要とする。不快さや損傷が結果としてもたらされる。多くの変更キー、ファンクションキー、及び数字キーを、面１０５の中心にある長手軸に沿って配置することによって、遠くに届く為の手首の動作が排除される。
【００２５】
図５を参照するに、非対称性に関する本発明の追加の特徴は、キーボード組立体の正面図に明らかに示す。この非対称性は、（１）キー１００とユーザとの間の距離と、キー１１０とユーザとの間の距離が異なり、（２）その上にキーが取り付けられる湾曲した面１０５の湾曲によって示される。図５は、第２の種類の非対称性を示す。
【００２６】
外側シェル２０５の前面は、３つの部分、即ち、中心パネル５００、右パネル５２０、及び左パネル５１０に分割可能である。中心パネル５００は基本的に矩形であり、中心パネル５００の中心における長さに沿ったＬ−Ｍ線に沿う軸を有する。図７にて以下に説明する任意選択のワイヤレスサブシステムの為の開口５３０を示す。パネル５２０は、パネル５１０と同様に湾曲している。更に、パネル５００の中心の底点である点Ｃからキー１１０を支持する面１０５の一部に沿っての任意の点までの半径を示すｄ１は、点Ｃからキー１００を支持する面１０５の一部に沿っての任意の点までの半径を示すｄ２と等しくない。
【００２７】
この左右非対称の設計の創造的刺激と理論は、古代の書である「Ｔｈｅ  Ｂｏｏｋ  ｏｆ  Ｃｈａｎｇｅｓ（変化の書）」、即ち、「Ｉ−Ｃｈｉｎｇ（易径）」から得た。古代の中国人は、数が生きていると考え、それらを、特に医薬及び占星術に使用した。従って、易径に示されまた河図（Ｈｅ  Ｔｕ  ｄｉａｇｒａｍ）に具現化される概念によると、自然における全ての物は、常に非対称である２つの正反対の要素と共に変化する。この新規のキーボードにおける２つのキーセット１００及びキーセット１１０の非対称の配置は、この概念を表す最適な配置である。このような概念は、アルフレッド・フアン（Ａｌｆｒｅｄ  Ｈｕａｎｇ）による「Ｔｈｅ  Ｎｕｍｅｒｏｌｏｇｙ  ｏｆ  ｔｈｅ  Ｉ−Ｃｈｉｎｇ」と、リチャード・ウィルヘルム（Ｒｉｃｈａｒｄ  Ｗｉｌｈｅｌｍ）によるドイツ語訳からキャリー・ベインズ（Ｂａｙｎｅｓ）によって英語に訳された「Ｔｈｅ  Ｉ−Ｃｈｉｎｇ」に詳細に記載される。両方の本からの関連のページは、本願に参考として組み込まれる。
【００２８】
図６は、キーボードの平面図であり、第１のタイプの非対称性を示す。この平面図から、キー１００は、キー１１０よりユーザからより離れて配置されていることが理解できるであろう。この２つのキーセット上に手を置く際に、手は自然に前後位置を取る。これは、太極拳における一般的な姿勢でもある。この平面図は、面１０５上の通常のアルファベット及びファンクション／位置キーの１つの可能な配置も示す。この配置は、本発明の概念の１つの可能な実施であり、本発明の精神及び請求項から逸脱することなく様々な他のタイプの配置も可能であることを理解するものとする。
【００２９】
図７は、キーボード組立体の断面図を示す。キーボード上の各キーのプラスチックキャップの下には、上面１０５、外側シェル２０５、及び内側シェル７１０を貫通し、接触バブル７８０を介して電気接触するプランジャ７００がある。そして、電気データが接触バブル７８０から線７９０を通りプロセッサ７３０に処理のために転送される。本発明のキーボード組立体は、図示するようにトラックボール又はマウスといった追加の構成要素を組み込んでもよい。１つの実施では、一般的に利用可能な光技術を用いて標準の親指操作型光トラックボールが、より優れた精密さと正確さの為に使用可能である。図７に示すように、赤外線コードレスセンサといったマウスセンサ７２０が、任意選択のワイヤレスシステム７６０がパネル５００、５１０、又は５２０に取り付けられたキーボードの底面に設置される。赤外線又は他のセンサが、その下の任意の表面テクスチャの動作を検出するためにセンサ７２０の下で基部２００に小さな開口が必要となる。プロセッサ７３０及びセンサ７２０は、線７４０を介して電子通信し、ワイヤレスサブシステム７６０及びセンサ７２０は、線７５０を介して通信する。キーボードの全ての出力は、ＵＳＢコネクタ７７０等を介してホストコンピュータ又は他の機械に接続される。
【００３０】
図８は、キーボード組立体を示す切断図を示す。面１０５上の複数のキーの各キー用のプランジャは、外側シェル２０５に取り付けられ、キー孔８１０を通って内側シェル７１０に接続する。内側シェル７１０と接触バブル７８０との間に膜層８２０がある。異なるビュートラッキング制御器及び／又は光装置７２０が、基部２００に取り付けられる。
【００３１】
図９は、キーボード組立体を示す底面図である。基部が机の天板に取り付けられるよう又は机の天板上に基部２００が配置されるようプラスチッククッション隆起９１０が、間隔が置かれて配置される。更に、図面には基部２００上のネジ９２０も示す。センサ７２０用の開口９３０も示す。
【００３２】
図１０Ａは、従来の横方向に伸びたキーボードを使用するユーザの平面図を示す従来技術を説明する。手と手首が一直線ではなく、指は、全てのキーに届くために横方向に伸ばさなければならないことは明らかであることに留意されたい。図１０Ｂは、図１０Ａの位置の正面図である。
【００３３】
図１１Ａは、本発明の人間工学的装置を使用するユーザの平面図を示す図１０Ａに対応する図である。図１１Ａの自然な指−手−手首の位置合わせと対照的に、非線形キーボードの使用における略垂直でカップ状の手の位置は、腕、手首、及び指の自然な位置合わせを可能にすることは明らかである。図１１Ｂは、図１１Ａにおける位置の正面図を示す。肩及び上腕の自然でリラックスした位置は、この図において最もよく見え、これは、主に、手のひらが、図１０Ｂに示すように従来技術の装置によって必要とされる平行位置とは対照的に、タイピング面に対して略垂直であることによる。
【００３４】
まとめるに、本発明は、一部の従来の順序を維持しながらキーが、水平方向及び高さ方向においてユーザから離れるよう広がる人間工学的キーボードを含む。更に、文字キーの多くは、左手キーと右手キーとの従来の分割に従って２つの群に分離され且つ物理的に間隔があけられる。１つの実施例では、２つのキー群は、２つの手を前後位置に且つ異なる高さレベルに配置するために同一平面上ではなくまた左右対称でもない。このような特徴及び他の特徴は、ユーザの快適性を改善し、反復性の筋緊張からの損傷の可能性も低くする。まとめるに、この新規のキーボードは、
・手の持続した回内
・肘の持続した外転
・肩の持続した上昇
・尺骨偏位
・手首の伸長
・小指の伸長及び外転
・親指の伸長及び外転
を含む標準のキーボードによって誘発される問題のある姿勢を取る必要をなくす。
【００３５】
本発明は、タイプライタキーボード、コンピュータキーボード、キャッシュレジスタキーボード、音楽キーボード、又は特殊目的キーボードといった任意のタイプのキーボードに適用可能である。
【００３６】
本発明の上述の説明は、例示及び説明の為に提示した。この説明は、本発明を完全網羅すること又は本発明を開示した実施例に限定することを意図しない。多くの修正及び変更が当業者には明らかであろう。本発明の範囲は、特許請求の範囲及びその等価物によって定義される。
【図面の簡単な説明】
【００３７】
【図１】本発明のキーボード組立体の１つの実施例を示す等角図である
【図２】本発明によるキーボード組立体を示す背面図である。
【図３】本発明によるキーボード組立体を示す右側面図である。
【図４】本発明によるキーボード組立体を示す左側面図である。
【図５】本発明によるキーボード組立体を示す正面図である。
【図６】本発明によるキーボード組立体を示す平面図である。
【図７】任意選択のトラックボールが組み込まれた本発明のキーボード組立体を示す断面図である。
【図８】本発明によるキーボード組立体を示す切断図である。
【図９】本発明によるキーボード組立体を示す底面図である。
【図１０Ａ】従来技術のキーボード組立体を使用するユーザを示す平面図である。
【図１０Ｂ】従来技術のキーボード組立体を使用するユーザを示す正面図である。
【図１１Ａ】本発明のキーボード組立体を使用するユーザを示す平面図である。
【図１１Ｂ】ユーザの手、手首、及び肩の自然な位置を示すユーザを示す正面図である。
【図１】
2007500905.tif 000003
【図２】
2007500905.tif 000004
【図３】
2007500905.tif 000005
【図４】
2007500905.tif 000006
【図５】
2007500905.tif 000007
【図６】
2007500905.tif 000008
【図７】
2007500905.tif 000009
【図８】
2007500905.tif 000010
【図９】
2007500905.tif 000011
【図１０Ａ】
2007500905.tif 000012
【図１０Ｂ】
2007500905.tif 000013
【図１１Ａ】
2007500905.tif 000014
【図１１Ｂ】
2007500905.tif 000015
【国際調査報告】
2007500905.tif 000016